(57)【特許請求の範囲】
【請求項１】
画像を表示するための容量性表示素子と、
画像データに応じて容量性表示素子に表示される画像を書き換えるための表示制御部と、
画像データを表示制御部に入力するための画像データ入力部とを備える表示装置において、
画像データ入力部から表示制御部への画像データの入力間隔に基づいて画像データの種類を判別する判別部と、
上記判別部の判別結果に基づいて、容量性表示素子における単位時間あたりの画像の書き換え回数を変化させる書き換え回数制御部とをさらに備え、
上記画像データ入力部は画像データの種類に応じて画像データの送出間隔を変化させることを特徴とする表示装置。
【請求項２】
上記判別部は、画像データ入力部から表示制御部への画像データの入力間隔に基づいて画像データが静止画であるか動画であるかを判別するものであることを特徴とする請求項１記載の表示装置。
【請求項３】
上記判別部は、画像データが、互いに異なるフレーム周波数を持つ複数種類の動画のいずれであるかを判別するものであることを特徴とする請求項１に記載の表示装置。
【請求項４】
画像を表示するための容量性表示素子と、
画像データに応じて容量性表示素子に表示される画像を書き換えるための表示制御部と、
画像データを表示制御部に入力するための画像データ入力部とを備える表示装置において、
画像データ入力部から表示制御部への画像データの入力間隔に基づいて画像データの種類を判別する判別部と、
上記判別部の判別結果に基づいて、容量性表示素子における単位時間あたりの画像の書き換え回数を変化させる書き換え回数制御部とをさらに備え、
上記表示制御部は、容量性表示素子に表示される画像を書き換えるための画像信号を一定間隔で出力する出力部を備え、
上記書き換え回数制御部は、出力部から出力された画像信号を容量性表示素子に転送すると共に、一部の画像信号を間引く出力制御部と、
上記出力制御部における画像信号を間引く回数と画像信号を転送する回数との比（間引き回数／転送回数）を整数比ｍ／ｎで表したときの整数値ｍおよびｎを表す制御データを生成する制御データ生成部と、
上記制御データに応じて、画像信号の転送タイミングを出力制御部に指示するタイミング指示部とを備え、
上記制御データ生成部は、上記判別部の判別結果に基づいて、上記整数比が変化するように制御データを生成するものであることを特徴とする表示装置。
【請求項５】
上記判別部は、画像データ入力部から表示制御部への画像データの入力間隔に基づいて画像データが静止画であるか動画であるかを判別するものであることを特徴とする請求項４に記載の表示装置。
【請求項６】
上記書き換え回数制御部は、上記整数値ｍおよびｎの少なくとも一方に基づいて、上記整数比ｍ／ｎが所定値以下であるときに、タイミング指示部の動作を停止させ、出力部から出力された画像信号をそのまま容量性表示素子に転送させる動作制御部をさらに備えることを特徴とする請求項４または５に記載の表示装置。
【発明の詳細な説明】
【０００１】
【発明の属する技術分野】
本発明は、液晶表示素子をはじめとする容量性表示素子を備える表示装置に関するものであり、さらに詳しくは、消費電力の低減のために、容量性表示素子の画像書き換え間隔を変化させる表示装置に関するものである。
【０００２】
【従来の技術】
近年、画像を表示する表示素子として、液晶表示素子がさまざまな分野で用いられている。中でも、液晶表示素子は、携帯電子機器に多く用いられているが、この場合、更なる低消費電力化が求められている。
【０００３】
一方で、携帯電子機器、特に携帯電話においては、通信技術の発展に伴い、動画データのような大量の情報を持つデータを高速に通信する傾向が高まっている。そのような大量の情報を処理する為に、携帯電子機器用の液晶表示素子の画像書き換え周波数（リフレッシュレート；単位時間内に表示画像を書き換える（リフレッシュする）回数）は速くなる傾向にある。その傾向は、動画を表示する場合などはさらに強まっている。それに対し、静止画を表示する場合には、動画を表示する場合と比較して速い画像書き換え周波数を必要としない。なぜなら、液晶表示素子に代表される、容量性の画素から構成される表示素子（容量性表示素子）では、一旦、外部から画素単位の画像データが送られることで画像が書き換えられると、その後ある程度の時間は、表示状態（表示画像）が保持され、画像の書き換えを行う必要がないからである。なお、この表示状態が保持される時間は、容量性表示素子の特性により異なる。
【０００４】
ここで、従来の表示装置の一例として表示素子として液晶パネル１０３を備える表示装置について、図７のブロック図に基づいて説明する。
【０００５】
図７に示すように、従来の表示装置は、液晶コントローラ１０２と表示素子としての液晶パネル１０３とを備え、液晶コントローラ１０２は、表示用メモリ１０４、信号同期回路１０５、表示タイミング発生回路１０６、およびデータバス１０７を備えている。
【０００６】
ＣＰＵなどの外部装置から出力された画像データ信号Ｓ１０１は、液晶コントローラ１０２のデータバス１０７を介して液晶コントローラ１０２内の表示用メモリ１０４に格納される。表示用メモリ１０４に格納された画像データ信号Ｓ１０１は、表示用メモリ１０４から画像データ信号Ｓ１０３として読み出され、信号同期回路１０５へ送られる。
【０００７】
一方、外部からクロック信号ＣＫ１０１が、液晶コントローラ１０２の表示タイミング発生回路１０６に入力される。表示タイミング発生回路１０６は、このクロック信号ＣＫ１０１を元に、液晶パネル１０３を駆動するための表示用信号Ｓ１０５と、画像データ信号Ｓ１０３を表示用信号Ｓ１０５と同期させるための同期クロック信号ＣＫ２とを発生する。そして、表示タイミング発生回路１０６は、表示用信号Ｓ１０５を液晶パネル１０３へ、同期クロック信号ＣＫ２を信号同期回路１０５へ、それぞれ出力する。信号同期回路１０５では、表示用メモリ１０４から読み出された画像データ信号Ｓ１０３をバッファリングし、表示タイミング発生回路１０６から出力される同期クロック信号ＣＫ２に従って画像データ信号Ｓ１０３を画像信号Ｓ１０４として液晶パネル１０３へ出力する。
【０００８】
上記従来の表示装置では、液晶パネル１０３のリフレッシュレートは、表示用メモリ１０４から画像データを読み出し液晶パネル１０３に対して画像データ信号Ｓ１０３を送る速度、すなわち、単位時間に１フレーム（画面）分の画像信号が何回表示用メモリ１０４から液晶パネル１０３に送出されるかを示す値に相当する。
【０００９】
また、上記従来の表示装置では、液晶パネル１０３の画像書き換え周波数を調節する場合、クロック信号ＣＫ１０１の周波数を変更することにより、液晶コントローラ１０２の表示タイミング発生回路１０６から液晶パネル１０３へ出力される表示用信号Ｓ１０５、および信号同期回路１０５から液晶パネル１０３へ出力される画像信号Ｓ１０４の周波数を変更することで、画像書き換え周波数を調節すること（画像書き換え間隔（リフレッシュ間隔）を調節すること）ができるようになっている。
【００１０】
しかしながら、上記従来の表示装置では、画像データ信号Ｓ１０１が動画であるか静止画であるかに関わらず液晶パネル１０３の画像書き換え周波数が一定であるため、次のような問題を招く。
【００１１】
すなわち、図８に「通常の画像書き換え間隔」として示すように、液晶パネル１０３の画像書き換え周波数は、通常、動画表示に適した比較的高い周波数、例えばＮＴＳＣ形式の映像信号のフレーム周波数に等しい６０Ｈｚに設定される。その場合、静止画を表示する時にも動画を表示している時と同じ高い書き換え周波数で画像を書き換えることになる。
【００１２】
一方、液晶パネル１０３において、静止画を表示する時には、動画を表示する時と比較して高い画像書き換え周波数を必要としない。なぜなら、前述したように、液晶パネル１０３のような容量性の表示素子においては、一旦書き込みを行うと、その後ある程度の時間は表示状態（表示画像）が保持されるので、静止画を表示する時には、表示状態が保持される期間内は画像の書き換えを行う必要がないからである。したがって、上記従来の液晶表示装置では、静止画を表示する時の画像書き換え周波数が必要以上に高くなる。
【００１３】
このように、静止画を表示する時に必要以上に高い書き換え周波数で画像を書き換えることは、無駄な電力消費を招く。なぜなら、液晶パネル１０３は、画像の書き換え周波数が高いほど、消費電力が増加するからである。すなわち、一般に、液晶パネル１０３に画像を表示する場合、液晶パネル１０３の静電容量Ｃ、液晶パネル１０３に印加される走査電圧の極性反転周波数をＦ、液晶パネル１０３に印加される信号電圧をＶ、液晶パネル１０３で画像を表示することにより消費される電力をＰとすると、消費電力Ｐは、式
Ｐ＝Ｃ×Ｆ×Ｖ2 
で表される。走査電圧は、駆動方法によって回数は異なるものの１フレーム期間当たり所定回数は極性が反転される。したがって、走査電圧の極性反転周波数は、表示画像の画像書き換え周波数に依存して変化する。そのため、液晶パネル１０３では、表示画像の書き換え周波数が高いほど、すなわち、表示画像の書き換え回数が多いほど、消費電力が増加する。
【００１４】
以上のことから、液晶パネル１０３の画像書き換え周波数を、動画のフレーム周波数に合った一定の周波数とした場合、静止画を表示する時に無駄な電力消費を招き、表示装置の消費電力が増加する。この消費電力の増加は、より消費電力を抑える必要がある、携帯電話用表示装置等のようなバッテリー駆動の表示装置の場合に、特に問題となる。
【００１５】
また、消費電力を低減するために、クロック信号ＣＫ１０１の周期を長くすることにより、画像の書き換えの頻度を少なく、すなわち画像書き換え周波数を低くすることもできる。しかしながら、図８に「従来の低消費電力手法」として示すように、画像書き換え間隔を動画のフレーム周期に一致させた場合、静止画を表示する時に必要以上に高い書き換え周波数で画像を書き換えることになってしまう。そのため、静止画を表示する時の消費電力を十分に削減することができない。また、画像書き換え間隔を動画のフレーム周期より短くすることも考えられるが、そうすると、動画を表示する時に画像の動きがぎこちなくなるおそれがある。
【００１６】
また、特開２０００−２２１９２３号公報には、外部から入力された画像データに付属する時間情報（タイムリファレンス）に基づいて画像の書き換え周波数（リフレッシュレート）を変化させる液晶表示装置が開示されている。また、上記公報には、画像データが文字画像を含まない場合に、そうでない場合よりも画像の書き換え周波数を低く（すなわち、リフレッシュ間隔を長く）する液晶表示装置が開示されている。
【００１７】
【発明が解決しようとする課題】
ところが、上記公報の第１の発明は、ＭＰＥＧ−４形式という特定のデータ構造を持つ画像データに含まれる時間情報を利用するものであり、時間情報を含まない画像データには適用できない。この時間情報は、一部期間のフレームを間引くことでデータ圧縮を行うＭＰＥＧ−４形式において、フレームを表示するタイミングを表すために圧縮画像データに付属されるものであり、ＭＰＥＧ−４形式以外の一般的な画像データには付属されていない。したがって、上記公報の第１の発明は、画像データがＭＰＥＧ−４形式の圧縮画像データにのみ適用可能であり、あらゆる画像データに対応できるものではないという欠点を有している。
【００１８】
なお、通常想定される画像データは、Ｒ，Ｇ，Ｂの各色信号をディジタル信号で表したものであり、各画素毎にＲ，Ｇ，Ｂの値がある。例えば、１６ビットの画像データであれば、各画素のＲ，Ｇ，Ｂをそれぞれ５ビット、６ビット、５ビットで表現したものである。
【００１９】
また、上記公報の第２の発明では、画像データが、文字画像を含まない動画のデータや文字画像を含む静止画のデータであった場合には、次のような問題が生じる。すなわち、まず、上記発明では、文字画像を含まない動画のデータが入力された場合に、画像の書き換え周波数が本来のフレーム周波数（入力された動画データのフレーム周波数）よりも低くなり、滑らかな動画表示を行えなくなるという問題が生じる。また、文字画像を含む静止画のデータが入力された場合には、画像の書き換え周波数が必要以上に高くなり、無駄な電力消費が発生するという問題が生じる。
【００２０】
本発明は、上記従来の問題に鑑みなされたものであり、その目的は、画像データの種類に関係なく、画像の書き換え回数を最適な回数に調整でき、その結果、消費電力を低減することができる表示装置を提供することにある。
【００２１】
【課題を解決するための手段】
本発明の表示装置は、上記の課題を解決するために、画像を表示するための容量性表示素子と、画像データに応じて容量性表示素子に表示される画像を書き換えるための表示制御部と、画像データを表示制御部に入力するための画像データ入力部とを備える表示装置において、画像データ入力部から表示制御部への画像データの入力間隔に基づいて画像データの種類（特に、画像データが静止画であるか動画であるか）を判別する判別部と、上記判別部の判別結果に基づいて、容量性表示素子における単位時間あたりの画像の書き換え回数を変化させる書き換え回数制御部とをさらに備え、上記画像データ入力部は画像データの種類に応じて画像データの送出間隔を変化させることを特徴としている。
【００２２】
上記構成では、画像データ入力部から表示制御部への画像データの入力は、動画の場合には例えば１／２０〜１／１５秒といった比較的周期で行われる一方、静止画の場合には、１回のみ行われる。上記構成では、このような画像データの種類による画像データの入力間隔の違いを利用して、画像データ入力部から表示制御部への画像データの入力間隔に応じて画像データの種類を判別する。そのため、画像データに時間情報が付属されていなくとも画像データの種類を判別することができる。
【００２３】
これにより、上記構成では、画像データに依存することなく、容量性表示素子における単位時間あたりの画像の書き換え回数（画像書き換え周波数）を画像データの種類に応じた最適な回数に調整することができる。すなわち、画像データに依存することなく、容量性表示素子における画像の書き換え間隔（画像の書き換えタイミング）を画像データの種類に応じた最適な間隔に調整することができる。それゆえ、無駄な画像書き換え動作、特に静止画表示時の無駄な画像書き換え動作を防止でき、容量性表示素子の駆動電力を削減することができる。その結果、画像データの種類にかかわらず、低消費電力化を実現できる表示装置を提供することができる。
【００２４】
上記判別部は、画像データが静止画であるか動画であるかを判別するものに限定されるものではなく、画像データが互いに異なるフレーム周波数を持つ複数種類の動画を判別するものなどであってもよい。
【００２５】
なお、本願明細書において、「画像を書き換える（リフレッシュする）」とは、液晶表示素子などの容量性表示素子に１フレーム分の画像信号を送出し、容量性表示素子の画素に対して駆動電圧を印加することを指すものとする。したがって、「画像の書き換え回数」は、１フレーム分の画像信号が容量性表示素子に送出される回数に相当する。また、「フレーム」とは、画面１枚分の画像信号（画像データ）のことを指す。さらに、「フレーム周波数」は画像信号の転送時に１秒間に転送されるフレームの数を表し、「フレーム周期」は画像信号の転送時にフレームが転送される周期を表す。
【００２６】
本発明の表示装置は、画像を表示するための容量性表示素子と、画像データに応じて容量性表示素子に表示される画像を書き換えるための表示制御部と、画像データを表示制御部に入力するための画像データ入力部とを備える表示装置において、画像データ入力部から表示制御部への画像データの入力間隔に基づいて画像データの種類を判別する判別部と、上記判別部の判別結果に基づいて、容量性表示素子における単位時間あたりの画像の書き換え回数を変化させる書き換え回数制御部とをさらに備え、上記表示制御部は、容量性表示素子に表示される画像を書き換えるための画像信号を一定間隔で出力する出力部を備え、上記書き換え回数制御部は、出力部から出力された画像信号を容量性表示素子に転送すると共に、一部の画像信号を間引く出力制御部と、上記出力制御部における画像信号を間引く回数と画像信号を転送する回数との比（間引き回数／転送回数）を整数比ｍ／ｎで表したときの整数値ｍおよびｎを表す制御データを生成する制御データ生成部と、上記制御データに応じて、画像信号の転送タイミングを出力制御部に指示するタイミング指示部とを備え、上記制御データ生成部は、上記判別部の判別結果に基づいて、上記整数比が変化するように制御データを生成するものであることが好ましい。
【００２７】
上記構成によれば、出力制御部で一定間隔の画像信号（例えば、通常のテレビジョン映像信号と同じ１／６０秒のフレーム周期を持つ動画の画像信号）を間引き、かつ、画像データの種類に応じて画像信号を間引く割合（間引き回数／転送回数）を変化させるので、表示装置全体の消費電力をより一層低減することができる。また、上記構成では、画像信号の転送タイミングを変更するので、転送する画像信号の周波数を変化させる場合と比較して、画像の書き換えタイミングを自由に制御でき、例えば、表示素子の表示画像のちらつきを抑えるために、複数回の連続書き換えを行うことが可能となる。
【００２８】
なお、上記構成における出力部、出力制御部、およびタイミング指示部は、画像データを保持するメモリと、メモリから容量性表示素子へ画像データを送出する回数（画像書き換え回数）を設定する回路部とを有する液晶コントローラによって実現できる。
【００２９】
上記構成の表示装置において、上記書き換え回数制御部は、上記整数値ｍおよびｎの少なくとも一方に基づいて、上記整数比ｍ／ｎが所定値以下であるときに、タイミング指示部の動作を停止させ、出力部から出力された画像信号をそのまま容量性表示素子に転送させる動作制御部をさらに備えることが好ましい。すなわち、上記書き換え回数制御部は、上記整数値ｍおよびｎの少なくとも一方に基づいて、上記整数比ｍ／ｎが所定値以下であるときには、出力部から出力された画像信号を間引いて単位時間当たりの画像の書き換え回数を少なくするモードから、タイミング指示部の動作を停止させ、出力部から出力された画像信号に従って通常の画像の書き換え間隔で画像を書き換えるモードに切り替える動作制御部をさらに備えることが好ましい。
【００３０】
本発明の表示装置において、整数比ｍ／ｎが小さいとき、すなわち画像信号を間引く割合が低いときには、画像信号を間引くことによって削減される消費電力量が、比較的少ないため、タイミング指示部の動作により消費される電力量を下回ってしまい、装置全体の消費電力がかえって増大する可能性がある。
【００３１】
上記動作制御部では、このような画像信号を間引く割合が低いときに、タイミング指示部の動作を停止させ、出力部から出力された画像信号をそのまま容量性表示素子に転送させる。これにより、タイミング指示部の動作により装置全体の消費電力が増大することを避けることができる。その結果、装置全体の消費電力をより一層低減することができる。
【００３２】
なお、上記表示制御部は、画像データの入力間隔と出力間隔とを独立して任意に制御できるように、画像データを記憶する記憶部を備えていることが望ましい。
【００３３】
また、上記書き換え回数制御部は、動画を滑らかに表示できるように、容量性表示素子における画像書き換え回数を画像データのフレーム数以上にするものであることが好ましい。
【００３４】
また、上記書き換え回数制御部は、画像データが静止画であると判別された場合の画像書き換え回数を、容量性表示素子が表示画像を保持できる範囲内で、できるだけ少なくすることが好ましい。すなわち、画像データが静止画である場合における画像の書き換え間隔は、容量性表示素子の画像保持特性（データ保持特性）に応じて、容量性表示素子の表示画像が問題なく保持できる最も長い時間に設定することが好ましい。
【００３５】
また、上記書き換え回数制御部は、表示素子の表示画像のちらつきを抑えるために、静止画表示時および動画表示時ともに複数回の連続書き換えを行うことがより好ましい。したがって、整数値ｍおよびｎを表す制御データを生成する制御データ生成部を備える構成においては、ｎが２以上であり、かつ、上記出力制御部が、画像信号をｍ回間引く動作と画像信号をｎ回転送する動作とを交互に行うようにすることがより好ましい。
【００３６】
なお、容量性表示素子としては、液晶表示素子に限らず、容量性の負荷を持った画素から構成され、かつ、画素に電圧を印加することなく表示画像をある程度の期間保持することが可能な表示素子（容量性表示素子）であればいかなる表示素子でも採用できる。
【００３７】
【発明の実施の形態】
〔実施の形態１〕
本発明の実施の一形態について図１ないし図４に基づいて説明すれば、以下の通りである。
【００３８】
本実施形態の表示装置は、図１のブロック図に示すように、ＣＰＵ（画像データ入力部、判別部、制御データ生成部）１と、表示制御部としての液晶コントローラ２と、容量性表示素子としての液晶パネル３とを備え、液晶コントローラ２は、表示用メモリ４、信号同期回路（出力部）５、表示タイミング発生回路６、画像書き換え要求信号発生回路（書き換え回数制御部）７、データバス８、および出力制御回路（出力制御部）９を備えている。
【００３９】
次に、上記表示装置の動作について、図１および図４に基づいて説明する。なお、図４は、本実施形態の表示装置において用いられる信号の一例を示すタイミングチャートであり、信号同期回路５の出力画像信号のフレーム周期が共に１／６０秒であり、かつ、ｎ＝１、ｍ＝１（ｎおよびｍについては後述する）である場合を示している。
【００４０】
まず、ＣＰＵ１が、液晶パネル３に表示すべき動画または静止画の画像データが生成する。このとき、液晶パネル３の画素（ドット）毎のＲＧＢ信号から構成される画像データ信号（画像データ）Ｓ１を生成すると共に、各画素に対応した液晶コントローラ２内の表示用メモリ４のアドレス（各画素のＲＧＢ信号を書き込むアドレス）を表すアドレス信号Ｓ１１を生成する。また、ＣＰＵ１は、これらの生成した画像データ信号Ｓ１およびアドレス信号Ｓ１１を液晶コントローラ２へ送出する。
【００４１】
また、ＣＰＵ１は、表示用メモリ４内の２つのメモリチップのいずれかを書き込み先として選択するためのチップセレクト信号Ｓ１２と、表示用メモリ４への画像データ信号Ｓ１の書き込み動作をＯＮ／ＯＦＦ制御にするためのライト信号Ｓ１３とを表示用メモリ４に送出する。また、ＣＰＵ１は、表示用メモリ４へ画像データ信号Ｓ１およびアドレス信号Ｓ１１を送出する時には、これらのチップセレクト信号Ｓ１２およびライト信号Ｓ１３を有効（アクティブ）にする（他の時には無効にする）。このとき、画像データ信号Ｓ１およびアドレス信号Ｓ１１の生成および表示用メモリ４への送出は、１フレームずつ行われる。
【００４２】
ＣＰＵ１は、画像データ信号Ｓ１の生成間隔に等しい間隔で、生成した画像データ信号Ｓ１を表示用メモリ４への送出を行う。それゆえ、ＣＰＵ１から表示用メモリ４への画像データ信号Ｓ１の送出間隔は、画像データ信号Ｓ１が静止画であるか動画であるかに応じて変化する。
【００４３】
具体的には、ＣＰＵ１において、１枚の静止画の画像データ信号Ｓ１を生成する動作は、１度だけ行われる。したがって、例えば、スライドショーのように複数の静止画を切り換えながら表示する場合、静止画の切り換え間隔、すなわち静止画の画像データ信号Ｓ１が生成される間隔に等しい間隔で、画像データ信号Ｓ１が表示用メモリ４へ送出される。静止画の切り換え間隔は、動画のフレーム周期と比較すると長く、通常、１／１０秒以上であるため、ＣＰＵ１から表示用メモリ４への静止画の画像データ信号Ｓ１の送出間隔も、動画のフレーム周期と比較すると長い間隔、通常、１／１０秒以上の間隔となる。
【００４４】
一方、ＣＰＵ１において、動画の画像データ信号Ｓ１の生成は、生成される画像データ信号Ｓ１のフレーム周波数に応じた一定周期で１フレームずつ行われる。例えば、１秒当たり１５〜２０フレームの動画の画像データ信号Ｓ１は、１／２０〜１／１５秒の間隔（１秒あたり１５〜２０回の割合）で１フレームずつ生成される。したがって、ＣＰＵ１から表示用メモリ４への動画の画像データ信号Ｓ１の送出も、画像データ信号Ｓ１のフレーム周波数に応じた一定の間隔、例えば、１秒当たり１５〜２０フレームの動画の画像データ信号Ｓ１であれば１／２０〜１／１５秒の間隔（１秒あたり１５〜２０回の割合）で行われる。
【００４５】
このように、ＣＰＵ１から表示用メモリ４への画像データ信号Ｓ１の送出間隔は、画像データ信号Ｓ１が動画である場合の方が画像データ信号Ｓ１が静止画である場合と比較して短くなる。例えば、図３の例では、ＣＰＵ１から表示用メモリ４への画像データ信号Ｓ１の送出間隔は、画像データ信号Ｓ１が静止画である場合には１／５秒であるのに対し、画像データ信号Ｓ１が動画である場合には１／１５秒である。なお、図３は、画像データ信号Ｓ１、画像信号Ｓ４、および画像信号Ｓ７のそれぞれにおける単位時間当たりのフレーム数を模式的に表した図であり、１つの四辺形は１フレームを表している。
【００４６】
ＣＰＵ１は、このＣＰＵ１から表示用メモリ４への画像データ信号Ｓ１の送出間隔の大小に基づいて画像データ信号Ｓ１が静止画か動画かを判別するようになっている。具体には、ＣＰＵ１は、ＣＰＵ１から表示用メモリ４への画像データ信号Ｓ１の送出間隔がある一定期間以上であれば画像データ信号Ｓ１が静止画であると判別する一方、ＣＰＵ１から表示用メモリ４への画像データ信号Ｓ１の送出間隔がある一定期間より短ければ画像データ信号Ｓ１が動画であると判別するようになっている。図３の例では、例えば、ＣＰＵ１から表示用メモリ４への画像データ信号Ｓ１の送出間隔が１／１２秒以上であるか否かによって画像データ信号Ｓ１が静止画か動画かを判別すればよい。
【００４７】
そして、ＣＰＵ１は、この判別結果、すなわち画像データ信号Ｓ１が静止画か動画かに応じて、画像書き換え回数ｎおよび画像間引き回数（非書き換え回数）ｍを決定する。なお、画像書き換え回数ｎは、（ｎ＋ｍ）フレーム分の画像信号Ｓ４が出力される期間内に画像の書き換えを行う回数を示す。また、（ｎ＋ｍ）フレーム分の画像信号Ｓ４が出力される期間内に画像信号Ｓ４を間引く回数、すなわち画像信号Ｓ４の（ｎ＋ｍ）フレーム期間のうちで画像の書き換えを行わないフレーム期間の数を示す。
【００４８】
また、ＣＰＵ１は、この画像書き換え回数ｎを表すデータ信号（後述する画像書き換え回数データ信号Ｓ９）および画像間引き回数ｍを表すデータ信号（後述する画像間引き回数データ信号Ｓ１０）を含む制御データ信号（制御データ）Ｓ２を生成し、画像データ信号Ｓ１と共に画像書き換え要求信号発生回路７に出力するようになっている。
【００４９】
ＣＰＵ１から出力された画像データ信号Ｓ１は、データバス８を通して表示用メモリ４へ格納される。このとき、画像データ信号Ｓ１は、チップセレクト信号Ｓ１２およびライト信号Ｓ１３が有効であるとき（ＣＰＵ１から画像データ信号Ｓ１およびアドレス信号Ｓ１１が送出されたとき）に、チップセレクト信号Ｓ１２で指定された表示用メモリ４内のメモリチップに書き込まれる。このとき、画像データ信号Ｓ１は、画素信号（１つのカラー画素に対応するＲＧＢ信号）毎に、アドレス信号Ｓ１１で指定された表示用メモリ４のアドレスに書き込まれる。
【００５０】
また、液晶コントローラ２の表示用メモリ４への書き込み（バッファリング）は、ＣＰＵ１から表示用メモリ４への画像データ信号Ｓ１の送出間隔に等しい間隔で行われる。したがって、表示用メモリ４の書き換え間隔は、画像データ信号Ｓ１が静止画の場合には比較的長い間隔、例えば１秒以上となる一方、画像データ信号Ｓ１が動画の場合には、比較的短い間隔、例えば１／２０〜１／１５秒の間隔となる。
【００５１】
また、ＣＰＵ１から出力された制御データ信号Ｓ２は、データバス８を通して画像書き換え要求信号発生回路７へ格納される。表示用メモリ４に格納された画像データ信号Ｓ１は、表示用メモリ４から画像データ信号（画像データ）Ｓ３として読み出され、信号同期回路５へ送られる。
【００５２】
なお、画像データ信号Ｓ１をＣＰＵ１から表示用メモリ４へ入力することと、表示用メモリ４に格納された画像データ信号Ｓ３を液晶パネル３へ送ることとは、互いに全く独立して実行される。したがって、液晶パネル３の画像書き換えも、ＣＰＵ１から表示用メモリ４への書き込みとは全く独立して実行される。例えば、静止画の場合には表示用メモリ４へ一度画像データ信号Ｓ１を書き込んでしまえば、違う画像が入力されない限り、ＣＰＵ１から表示用メモリ４への書き込みは行われない。これに対し、液晶パネル３の画像書き換えは、１つの静止画を表示し続ける場合であっても、液晶パネル３の表示特性に応じた間隔で繰り返し行われる。
【００５３】
液晶コントローラ２の表示タイミング発生回路６には、図４に示すクロック信号ＣＫ１が外部から入力されるようになっている。表示タイミング発生回路６は、このクロック信号ＣＫ１を元に、液晶パネル３を駆動するための表示用信号Ｓ５を発生する。表示用信号Ｓ１５は、液晶パネル３が画像信号Ｓ４を１フレーム分ずつ取り込むために画像信号Ｓ４の各フレームが出力されるタイミングを表すタイミング信号であり、必ず、後述する画像信号Ｓ４の１フレーム（画面）周期毎に出力される。表示用信号Ｓ１５は、通常の動画（ＮＴＳＣ形式の映像信号）のフレーム周期（画像書き換え周期）に等しい周期（１／６０秒の周期）を持つ周期信号である。また、表示タイミング発生回路６は、画像データ信号Ｓ３を表示用信号Ｓ５と同期させるための同期クロック信号ＣＫ２を発生する。そして、表示タイミング発生回路６は、通常の動画のフレーム周期（画像書き換え周期）に等しい周期（１／６０秒の周期）で、表示用信号Ｓ１５を出力制御回路９へ、同期クロック信号ＣＫ２を信号同期回路５へ、それぞれ出力する。なお、クロック信号ＣＫ１および同期クロック信号ＣＫ２は、同じ信号であり、いずれも液晶コントローラ２を駆動するシステムクロックである。
【００５４】
さらに、表示タイミング発生回路６は、表示用信号Ｓ１５の各フレームの終了時（画像信号Ｓ４の各フレームの終了時）に、図４に示すフレーム終了信号Ｓ８を画像書き換え要求信号発生回路７へ出力する。フレーム終了信号Ｓ８は、画像信号Ｓ４の１フレーム（画面）の終了を知らせる信号であり、１フレーム（画面）分の画像信号Ｓ４のうちで最後の画素の信号が出力制御回路９に送出される時に出力される。
【００５５】
信号同期回路５では、表示用メモリ４から読み出された画像データ信号Ｓ３をバッファリングし、表示タイミング発生回路６から出力される同期クロック信号ＣＫ２に従って、画像データ信号Ｓ３を、図４に示すような通常の動画（ＮＴＳＣ形式の映像と等しいフレーム周期（１／６０秒の周期）を持つ画像信号Ｓ４として出力制御回路９へ出力する。画像信号Ｓ４は、表示用信号Ｓ５と同位相で出力される。なお、画像データ信号Ｓ１、画像データ信号Ｓ３、および画像信号Ｓ４は、いずれも液晶パネル３の各画素に対するＲ、Ｇ、Ｂのデータを表すものであり、同じデータを表している。ただし、これらの信号は、互いに非同期である。
【００５６】
画像書き換え要求信号発生回路７では、ＣＰＵ１から入力される制御データ信号Ｓ２と、表示タイミング発生回路６から出力されるフレーム終了信号Ｓ８とから画像書き換え要求信号Ｓ６を発生し、この画像書き換え要求信号Ｓ６を出力制御回路９へ出力する。画像書き換え要求信号Ｓ６は、図４に示すように画像書き換え期間（画像のリフレッシュ期間）にはアクティブとなり、画像間引き期間  （画像の非リフレッシュ期間）には非アクティブとなる信号である。
【００５７】
出力制御回路９は、画像書き換え要求信号発生回路７から入力された画像書き換え要求信号Ｓ６がアクティブになっているとき（すなわち、画像書き換え期間）にのみ、画像信号Ｓ４および表示用信号Ｓ１５を出力する。これにより、出力制御回路９から出力される画像信号Ｓ７は、図４に示すように、画像信号Ｓ４における画像間引き期間の部分を間引いた信号となる。また、出力制御回路９から出力される表示用信号Ｓ５も、表示用信号Ｓ１５における画像間引き期間の部分を間引いた信号となる。したがって、表示用信号Ｓ５は、図４に示すように画像書き換え期間にはアクティブとなり、画像間引き期間には非アクティブとなる。
【００５８】
液晶パネル３では、画像信号Ｓ７および表示用信号Ｓ５に基づき、表示用信号Ｓ５がアクティブである期間（画像書き換え期間）には画像信号Ｓ７に応じた駆動電圧を画素に印加する一方、表示用信号Ｓ５が非アクティブである期間（画像間引き期間）には駆動電圧を画素に印加しない。これにより、通常の動画のフレーム周期に等しい画像書き換え間隔（１／６０秒間隔）で画像の書き換えを行う場合（図８参照）と比較して、画像間引き期間に駆動電圧を画素に印加しない分だけ消費電力を削減することができる。
【００５９】
次に、画像書き換え要求信号発生回路７の構成例について、図２に基づいて詳細に説明する。
【００６０】
画像書き換え要求信号発生回路７は、図２に示すように、書き換え回数設定レジスタ１１、間引き回数設定レジスタ１２、および画像書き換え要求判定回路（タイミング指示部）１３を備えている。
【００６１】
まず、画像書き換え回数ｎを表すデータ信号（画像書き換え回数データ信号Ｓ９）および画像間引き回数ｍを表すデータ信号（画像間引き回数データ信号Ｓ１０）を含む制御データ信号Ｓ２が、ＣＰＵ１からデータバス８を通して画像書き換え要求信号発生回路７に入力される。
【００６２】
次いで、画像書き換え要求信号発生回路７では、制御データ信号Ｓ２に含まれる画像書き換え回数データ信号Ｓ９および画像間引き回数データ信号Ｓ１０をそれぞれ、書き換え回数設定レジスタ１１および間引き回数設定レジスタ１２に格納（セット）する。これらレジスタ１１・１２へのデータ信号Ｓ９・Ｓ１０の格納（セット）は、例えば、システムクロックでラッチすることにより、もしくは、別に書き込みクロックを用意してそのクロックのエッジでラッチすることにより行なわれる。
【００６３】
さらに、画像書き換え回数データ信号Ｓ９および画像間引き回数データ信号Ｓ１０は、それぞれ画像書き換え要求判定回路１３に入力される。画像書き換え要求判定回路１３は、画像書き換え回数データ信号Ｓ９および画像間引き回数データ信号Ｓ１０の値（書き換え回数設定レジスタ１１および間引き回数設定レジスタ１２に設定された値）からそれぞれ、画像書き換え回数ｎおよび画像間引き回数ｍを決定する。画像書き換え要求判定回路１３は、フレーム終了信号Ｓ８をカウントするカウンタ（図示しない）を有しており、そのカウンタの値が画像書き換え回数ｎと一致するまで画像書き換え要求信号Ｓ６を出力する。カウンタの値が画像書き換え回数ｎと一致すると、画像書き換え要求判定回路１３は、画像書き換え要求信号Ｓ６を非アクティブにすると同時に、カウンタをリセットし、フレーム終了信号Ｓ８を再度カウントする。そして、カウンタの値が画像間引き回数ｍと一致するまで画像書き換え要求信号Ｓ６を非アクティブにする。カウンタの値が画像間引き回数ｍと一致すると、カウンタをリセットし、画像書き換え要求信号Ｓ６をアクティブにする。画像書き換え要求判定回路１３は、これらを繰り返すことで、画像書き換え要求信号Ｓ６を周期的にアクティブおよび非アクティブの間で切り換える。そして、画像書き換え要求信号Ｓ６がアクティブの期間は、フレーム終了信号Ｓ８の周期のｎ倍、すなわち画像信号Ｓ４のフレーム周期のｍ倍に等しい期間長である。画像書き換え要求信号Ｓ６が非アクティブの期間は、フレーム終了信号Ｓ８の周期のｍ倍、すなわち画像信号Ｓ４のフレーム周期のｎ倍に等しい期間長である。
【００６４】
これにより、液晶パネル３では、画像信号Ｓ４のフレーム周期（１／６０秒）のｎ倍に等しい時間にわたる画像書き換えと、画像信号Ｓ４のフレーム周期（１／６０秒）のｍ倍に等しい時間にわたる画像書き換え停止とが交互に行なわれることになる。
【００６５】
また、画像書き換え要求判定回路１３は、常にアクティブな画像書き換え要求信号を用い、この信号を画像非書き換え期間に対応する一部期間だけマスクする（非アクティブにする）ことにより、一部期間のみアクティブとなる画像書き換え要求信号Ｓ６を発生する機能（マスク機能）を有している。
【００６６】
次に、静止画表示時のｎおよびｍ、動画表示時のｎおよびｍの設定について、図３を参照して説明する。
【００６７】
図３は、静止画表示時および動画表示時における画像データ信号Ｓ１、画像信号Ｓ４、および画像信号Ｓ７のフレーム間隔を示すタイミングチャートである。図３に示すように、静止画表示時には、表示用メモリの書き換え回数（１フレーム分の画像データ信号Ｓ１が送られる回数）は１回である。
【００６８】
本実施形態では、静止画表示時のｎおよびｍ、動画表示時のｎおよびｍは、静止画表示時のｎ／ｍが動画表示時のｎ／ｍより小さくなるように設定している。図３の例では、静止画表示時のｎおよびｍをｎ＝２、ｍ＝４に設定し、動画表示時のｎおよびｍをｎ＝２、ｍ＝２に設定している。
【００６９】
これにより、静止画表示時の単位時間当たりの画像書き換え回数が動画表示時の単位時間当たりの画像書き換え回数より少なくなる。図３の例では、動画表示時の単位時間当たりの画像書き換え回数が３０回であるのに対し、静止画表示時の１秒当たりの画像書き換え回数が２０回となる。それゆえ、静止画表示時の無駄な画像書き換え動作による電力消費を削減でき、その結果、消費電力を低減することができる。
【００７０】
また、静止画表示時の液晶パネル３の画像書き換え間隔は、消費電力の低減のためにはできる限り長い方が望ましいが、液晶パネル３が画像を保持できる時間に限界があることから、その時間には上限がある。すなわち、液晶パネル３の画像書き換えは、液晶パネル３の画像保持特性（電荷が逃げていく速度）に合わせて行う必要がある。例えば、１つの静止画を表示し続ける場合、ある程度の時間（画像保持時間）以上の間隔で同じ画像信号を繰り返し液晶パネル３に送出して、画像の書き換え動作（駆動電圧の印加）を行う必要がある。そのため、画像書き換え間隔の上限は、液晶パネル３の画像保持特性に応じて、液晶パネル３の画像保持時間以下となるように決定すべきである。液晶パネル３の画像保持時間は、現在実用化されている液晶パネル３のある例では１／２０秒程度であるが、現在開発中の液晶パネル３では１／５秒程度まで改善されることが見込まれている。
【００７１】
以上のことを考慮すると、上記の現在実用化されている液晶パネル３の例では、画像信号Ｓ４のフレーム周期が１／６０秒（毎秒６０フレーム）として、静止画表示時のｎおよびｍをｎ＝１、ｍ＝２程度に設定するとよい。これにより、静止画表示時の画像書き換え間隔を画像信号Ｓ４のフレーム周期の３倍、すなわち１／２０秒程度にすることができる。したがって、静止画の画像信号Ｓ４を１／３に間引き、静止画表示時の画像書き換え回数を１秒間に２０回にすることができる。また、画像保持時間が１／５秒の液晶パネル３では、画像信号Ｓ４のフレーム周期が１／６０秒（毎秒６０フレーム）として、静止画像表示時のｎおよびｍをｎ＝１、ｍ＝１１程度に設定するとよい。これにより、静止画表示時の画像書き換え間隔を画像信号Ｓ４のフレーム周期の１２倍、すなわち１／５秒程度にすることができる。したがって、静止画の画像信号Ｓ４を１／１２に間引き、静止画像表示時の画像書き換え回数を１秒間に５回にすることができる。
【００７２】
一方、動画表示時の液晶パネル３の画像書き換え間隔は、消費電力の低減のためにはできる限り長い方が望ましいが、滑らかな動画表示を行えるように、ＣＰＵ１から表示用メモリ４へ送出される画像データ信号Ｓ１のフレーム周期以下であることが望ましい。この条件を満たすためには、例えばＣＰＵ１から表示用メモリ４へ送出される画像データ信号Ｓ１のフレーム周期が１／２０〜１／１５秒（１秒当たりに送られるフレーム数が１５〜２０フレーム）である場合、動画表示時の画像書き換え間隔を１／２０〜１／１５秒以上にする必要がある。
【００７３】
以上のことを考慮すると、上記の現在実用化されている液晶パネル３の例では、画像信号Ｓ４のフレーム周期が１／６０秒（毎秒６０フレーム）として、動画表示時のｎおよびｍをｎ＝１、ｍ＝２程度に（ただし、ｎ／ｍが静止画表示時より大きくなるように）設定するとよい。これにより、動画表示時の画像書き換え間隔を画像信号Ｓ４のフレーム周期の３倍、すなわち１／２０秒程度にすることができる。したがって、動画の画像信号Ｓ４を１／３に間引き、動画表示時の画像書き換え回数を１秒間に２０回にすることができる。
【００７４】
また、液晶パネル３の表示画像のちらつきを抑えるためには、静止画表示時および動画表示時ともに複数回の連続書き換えを行うことがより好ましい。すなわち、ｎが２以上であることがより好ましい。そのため、実施例としては、画像書き換え回数ｎを２もしくは３とし、画像間引き回数ｍを５回程度とするのがより好ましい。
【００７５】
なお、本実施形態の表示装置では、図７に示す従来の表示装置のように、液晶コントローラ１０２から液晶パネル１０３に出力される画像信号Ｓ１０４および表示用信号Ｓ１０５の周波数を変更することで液晶パネル１０３における画像の書き換え周波数を変更するのではない。本実施形態の表示装置では、ＣＰＵ１からアクセス可能な書き換え回数設定レジスタ１１および間引き回数設定レジスタ１２と、それらに設定された画像書き換え回数ｎおよび画像間引き回数ｍの値に応じて、周期的に発生するフレーム終了信号Ｓ８から、画像書き換え期間のみアクティブになる画像書き換え要求信号Ｓ６を発生する画像書き換え要求判定回路１３と、画像書き換え要求信号Ｓ６に基づいて液晶パネル３への画像信号Ｓ４の出力をイネーブル・ディセーブルする出力制御回路９とを液晶コントローラ２内に設け、液晶パネル１０３における画像の書き換え周波数をＣＰＵ１から変更可能にしている。
【００７６】
また、上述した実施の形態では、ＣＰＵ１が、画像データ信号Ｓ１が静止画であるか動画であるかを判別する機能を備えていたが、この機能を液晶コントローラ２に持たせることも可能である。すなわち、液晶コントローラ２で、ＣＰＵ１から表示用メモリ４への画像データ信号Ｓ１の転送間隔（画像書き換えの時間間隔）に基づいて画像データ信号Ｓ１が静止画であるか動画であるかを判断するようにしてもよい。
【００７７】
〔実施の形態２〕
本発明の他の実施の形態について図５および図６に基づいて説明すれば、以下の通りである。なお、説明の便宜上、前記実施の形態１にて示した各部材と同一の機能を有する部材には、同一の符号を付記し、その説明を省略する。
【００７８】
本実施形態の表示装置は、書き換え回数制御部として、画像書き換え要求信号発生回路７に代えて、画像書き換え要求信号発生回路１７を備える点以外は、実施の形態１の表示装置と同一の構成を備えている。画像書き換え要求信号発生回路１７は、図５に示すように、画像書き換え要求信号発生回路７に、モード切替信号生成回路（動作制御部）１４と画像書き換え要求判定回路１３の動作をＯＮ／ＯＦＦするためのＯＮ／ＯＦＦスイッチ（動作制御部）１５とを追加した回路である。
【００７９】
モード切替信号生成回路２１は、画像間引き回数データ信号Ｓ１０に設定された画像間引き回数ｍと、画像書き換え回数データ信号Ｓ９に設定された画像書き換え回数ｎとの少なくとも一方に基づいて、画像間引き回数ｍと画像書き換え回数ｎとの比（ｍ／ｎ）が所定値以下である場合に、ＯＮ／ＯＦＦスイッチ１５をＯＦＦ状態にし、画像間引き回数ｍと画像書き換え回数ｎとの比（ｍ／ｎ）が所定値より大きい場合にはＯＮ／ＯＦＦスイッチ１５をＯＮ状態にするようになっている。これにより、画像間引き回数ｍと画像書き換え回数ｎとの比（ｍ／ｎ）が所定値以下である場合には画像書き換え要求判定回路１３の動作が停止する一方、画像間引き回数ｍと画像書き換え回数ｎとの比（ｍ／ｎ）が所定値より大きい場合には画像書き換え要求判定回路１３が動作する。
【００８０】
図５の例では、モード切替信号生成回路２１は、画像間引き回数ｍと画像書き換え回数ｎとの比（ｍ／ｎ）が０である場合に、画像書き換え要求判定回路１３の動作を停止させる一方、画像間引き回数ｍと画像書き換え回数ｎとの比（ｍ／ｎ）が０でない場合には画像書き換え要求判定回路１３を動作させるようになっている。この場合には、画像書き換え回数ｎに関係なく、画像間引き回数ｍが０であれば画像間引き回数ｍと画像書き換え回数ｎとの比（ｍ／ｎ）も必ず０となる。そのため、図５の例では、モード切替信号生成回路２１は、書き換え回数設定レジスタ１１に設定された画像間引き回数ｍのみに基づいて画像書き換え要求判定回路１３の動作を制御するようになっている。
【００８１】
このような構成により、液晶コントローラ２を２つのモードで切り替えて動作させることができる。すなわち、液晶コントローラ２は、画像間引き回数ｍと画像書き換え回数ｎとの比（ｍ／ｎ）が所定値以下である場合には、画像書き換え要求判定回路１３の動作を停止させ、画像信号Ｓ４をそのまま液晶パネル３に出力し、液晶パネル３の画像を通常の書き換え間隔（１／６０秒間隔）で書き換えるモード（通常書き換えモード）で動作する。一方、液晶コントローラ２は、画像間引き回数ｍと画像書き換え回数ｎとの比（ｍ／ｎ）が所定値より大きい場合には、画像書き換え要求判定回路１３を動作させ、画像信号Ｓ４を間引き、液晶パネル３の画像を通常の書き換え間隔より長い間隔で書き換えるモード（書き換え間隔間引きモード）で動作する。
【００８２】
図６は、動画表示時と静止表示画時とで通常書き換えモードと書き換え間隔間引きモードとを切り替えた場合のタイミングチャートである。この場合、動画表示時の画像間引き回数ｍが０、動画表示時の画像書き換え回数ｎが１に設定され、静止画表示時の画像間引き回数ｍが４、動画表示時の画像書き換え回数ｎが２に設定されている。
【００８３】
この場合、動画表示時には、画像間引き回数ｍが０に設定されるので、モード切替信号生成回路２１は、画像書き換え要求判定回路１３の動作を停止させ、通常書き換えモード（通常リフレッシュモード）に切り替える。前述したように、画像書き換え要求判定回路１３は、常にアクティブな画像書き換え要求信号の画像非書き換え期間をマスクする機能（マスク機能）を有している。そのため、画像書き換え要求判定回路１３の動作が停止した状態では、画像書き換え要求判定回路１３のマスク機能が働かなくなり、常に画像書き換え要求が発生する。すなわち、画像書き換え要求判定回路１３の動作が停止した状態では、画像書き換え要求信号Ｓ６が常にアクティブとなる。このため、通常書き換えモードでは、画像信号Ｓ４が常に出力される。
【００８４】
一方、静止画表示時には、画像間引き回数ｍが４に設定されるので、モード切替信号生成回路２１は、画像書き換え要求判定回路１３を動作させ、書き換え間隔間引きモードに切り替える。書き換え間隔間引きモードでは、画像書き換え要求判定回路１３は、実施の形態１と同様に、常にアクティブな画像書き換え要求信号の画像非書き換え期間をマスクする役割を果たす。
【００８５】
このようにして、画像間引き回数ｍが０であるときの画像書き換え要求判定回路１３の無駄な動作を停止させることができ、消費電力を低減することができる。
【００８６】
通常は、ＯＮ／ＯＦＦスイッチ１５をレジスタとして外部から値を設定するが、これをモード切替信号生成回路１４で間引き回数設定レジスタ１２の値を参照してこのＯＮ／ＯＦＦスイッチ１５を決めることで余分にレジスタを設ける必要がない。
【００８７】
なお、図５の例では、画像間引き回数ｍのみに基づいて画像書き換え要求判定回路１３の動作を制御するようになっていたが、画像間引き回数ｍと画像書き換え回数ｎとの比（ｍ／ｎ）の変化に応じた画像書き換え要求判定回路１３の動作を制御することができれば、他の情報に基づいて画像書き換え要求判定回路１３の動作を制御してもよい。すなわち、画像書き換え回数ｎのみに基づいて画像書き換え要求判定回路１３の動作を制御するようにしてもよく、また、画像間引き回数ｍおよび画像書き換え回数ｎの両方に基づいて画像書き換え要求判定回路１３の動作を制御するようにしてもよい。
【００８８】
【発明の効果】
本発明の表示装置は、以上のように、画像データ入力部から表示制御部への画像データの入力間隔に基づいて画像データの種類（特に、画像データが静止画であるか動画であるか）を判別する判別部と、上記判別部の判別結果に基づいて、容量性表示素子における単位時間あたりの画像の書き換え回数を変化させる書き換え回数制御部とをさらに備える構成である。
【００８９】
上記構成では、このような画像データの種類による画像データの入力間隔の違いを利用して、画像データ入力部から表示制御部への画像データの入力間隔に応じて画像データの種類を判別する。そのため、画像データに時間情報が付属されていなくとも画像データの種類を判別することができる。これにより、上記構成では、画像データに依存することなく、容量性表示素子における単位時間あたりの画像の書き換え回数（画像書き換え周波数）を画像データの種類に応じた最適な回数に調整することができる。それゆえ、無駄な画像書き換え動作、特に静止画表示時の無駄な画像書き換え動作を防止でき、容量性表示素子の駆動電力を削減することができる。その結果、上記構成は、画像データの種類にかかわらず、低消費電力化を実現できる表示装置を提供することができるという効果を奏する。
【００９０】
本発明の表示装置において、上記表示制御部は、容量性表示素子に表示される画像を書き換えるための画像信号を一定間隔で出力する出力部を備え、上記書き換え回数制御部は、出力部から出力された画像信号を容量性表示素子に転送すると共に、一部の画像信号を間引く出力制御部と、上記出力制御部における画像信号を間引く回数と画像信号を転送する回数との比（間引き回数／転送回数）を整数比ｍ／ｎで表したときの整数値ｍおよびｎを表す制御データを生成する制御データ生成部と、上記制御データに応じて、画像信号の転送タイミングを出力制御部に指示するタイミング指示部とを備え、上記制御データ生成部は、上記判別部の判別結果に基づいて、上記整数比が変化するように制御データを生成するものであることが好ましい。
【００９１】
上記構成によれば、出力制御部で一定間隔の画像信号を間引き、かつ、画像データの種類に応じて画像信号を間引く割合（間引き回数／転送回数）を変化させるので、表示装置全体の消費電力をより一層低減することができるという効果が得られる。また、上記構成では、画像信号の転送タイミングを変更するので、転送する画像信号の周波数を変化させる場合と比較して、画像の書き換えタイミングを自由に制御でき、例えば、表示素子の表示画像のちらつきを抑えるために、複数回の連続書き換えを行うことが可能となるという効果も得られる。
【００９２】
上記構成の表示装置において、上記書き換え回数制御部は、上記整数値ｍおよびｎの少なくとも一方に基づいて、上記整数比ｍ／ｎが所定値以下であるときに、タイミング指示部の動作を停止させ、出力部から出力された画像信号をそのまま容量性表示素子に転送させる動作制御部をさらに備えることが好ましい。
【００９３】
上記構成によれば、このような画像信号を間引く割合が低いときに、タイミング指示部の動作を停止させ、出力部から出力された画像信号をそのまま容量性表示素子に転送させる。これにより、タイミング指示部の動作により装置全体の消費電力が増大することを避けることができる。その結果、装置全体の消費電力をより一層低減することができるという効果が得られる。
【図面の簡単な説明】
【図１】本発明の実施の一形態に係る表示装置の概略構成を示すブロック図である。
【図２】上記表示装置が備える画像書き換え要求信号発生回路の概略構成を示すブロック図である。
【図３】上記表示装置における画像信号のフレーム数（書き換え回数）の変化を模式的に示す図である。
【図４】上記表示装置に用いられている複数の信号の波形を示す図である。
【図５】本発明の他の実施に係る表示装置が備える画像書き換え要求信号発生回路の概略構成を示すブロック図である。
【図６】上記表示装置における画像信号のフレーム数（書き換え回数）の変化を模式的に示す図である。
【図７】従来の表示装置の概略構成を示すブロック図である。
【図８】従来の表示装置における画像信号のフレーム数（書き換え回数）の変化を模式的に示す図である。
【符号の説明】
１  ＣＰＵ（画像データ入力部、判別部、制御データ生成部）
２  液晶コントローラ（表示制御部）
３  液晶パネル（容量性表示素子）
４  表示用メモリ
５  信号同期回路（出力部）
６  表示タイミング発生回路
７  画像書き換え要求信号発生回路（書き換え回数制御部）
８  データバス
９  出力制御回路（出力制御部）
１１  書き換え回数設定レジスタ
１２  間引き回数設定レジスタ
１３  画像書き換え要求判定回路（タイミング指示部）
１４  モード切替信号生成回路（動作制御部）
１５  ＯＮ／ＯＦＦスイッチ（動作制御部）
１７  画像書き換え要求信号発生回路（書き換え回数制御部）
２１  モード切替信号生成回路
Ｓ１  画像データ信号（画像データ）
Ｓ２  制御データ信号（制御データ）
Ｓ３  画像データ信号（画像データ）
Ｓ４  画像信号
Ｓ５  表示用信号
Ｓ６  画像書き換え要求信号
Ｓ７  画像信号
Ｓ８  フレーム終了信号
Ｓ９  画像書き換え回数データ信号
Ｓ１０  画像間引き回数データ信号
Ｓ１５  表示用信号
【図１】
0003749147.tif 000002
【図２】
0003749147.tif 000003
【図３】
0003749147.tif 000004
【図４】
0003749147.tif 000005
【図５】
0003749147.tif 000006
【図６】
0003749147.tif 000007
【図７】
0003749147.tif 000008
【図８】
0003749147.tif 000009